(57)【要約】【課題】スポーツ時に競技者が装着するスポーツ用保護具の衝撃吸収部が汚れた場合に、素早くかつ簡単にきれいにできるようにして、常に清潔なスポーツ用保護具を使用できるようにする。【解決手段】硬質板部１０の裏面に衝撃吸収部を層状に設けてシンガード１を構成する。衝撃吸収部を非発泡弾性体で構成することで、汗や雨水、洗浄時の水が衝撃吸収部に吸収されるのを防止し、素早くかつ簡単に手入れできるようにする。【選択図】図１
2008214841.tif 000002
【特許請求の範囲】
【請求項１】
非発泡弾性体で構成された衝撃吸収部を備えていることを特徴とするスポーツ用保護具。
【請求項２】
請求項１に記載のスポーツ用保護具において、
非発泡弾性体よりも硬い材質からなる硬質板部を備え、
上記硬質板部の裏面に衝撃吸収部が層状に設けられていることを特徴とするスポーツ用保護具。
【請求項３】
請求項２に記載のスポーツ用保護具において、
硬質板部には、衝撃吸収部を該硬質板部の表面側へ導出するための導出部が設けられていることを特徴とするスポーツ用保護具。
【請求項４】
請求項３に記載のスポーツ用保護具において、
硬質板部の表面側へ導出された衝撃吸収部は、該硬質板部の表面から突出する突出部を形成していることを特徴とするスポーツ用保護具。
【請求項５】
請求項２から４のいずれか１つに記載のスポーツ用保護具において、
硬質板部の周縁部は、衝撃吸収部により被覆されていることを特徴とするスポーツ用保護具。
【請求項６】
請求項２から５のいずれか１つに記載のスポーツ用保護具において、
衝撃吸収部の裏面には、凹凸形状が設けられていることを特徴とするスポーツ用保護具。
【請求項７】
請求項６に記載のスポーツ用保護具において、
凹凸形状は、衝撃吸収部の裏面に形成された複数の溝で構成されていることを特徴とするスポーツ用保護具。
【請求項８】
請求項２から７のいずれか１つに記載のスポーツ用保護具において、
衝撃吸収部は、硬質板部に一体成形されていることを特徴とするスポーツ用保護具。
【請求項９】
請求項１に記載のスポーツ用保護具において、
人体の肘又は膝に装着される本体部を備え、
上記本体部に衝撃吸収部が取り付けられていることを特徴とするスポーツ用保護具。
【請求項１０】
請求項９に記載のスポーツ用保護具において、
衝撃吸収部には、該衝撃吸収部における装着者の皮膚側の面に開口する貫通孔が形成されていることを特徴とするスポーツ用保護具。
【請求項１１】
請求項９又は１０に記載のスポーツ用保護具において、
衝撃吸収部は、肘の関節部又は膝の関節部の形状に沿うように湾曲形成されていることを特徴とするスポーツ用保護具。
【請求項１２】
請求項１１に記載のスポーツ用保護具において、
衝撃吸収部の肉厚は、肘の関節部又は膝の関節部の中央に対応する部位が周縁部よりも厚く設定されていることを特徴とするスポーツ用保護具。
【発明の詳細な説明】
【技術分野】
【０００１】
本発明は、スポーツ時に人体に装着されるスポーツ用保護具に関する。
【背景技術】
【０００２】
従来より、この種のスポーツ用保護具として、例えば、サッカーボールの競技者がスネに装着するシンガードと呼ばれるスネ当てが知られている（例えば、特許文献１参照）。このスネ当ては、硬質樹脂を成形してなる硬質板部と、硬質板部の裏面側に設けられた発泡樹脂製の衝撃吸収部とを備えている。硬質板部を設けていることで、スパイクシューズ等で蹴られたときのガードが確実になり、また、その硬質板部の裏面側に衝撃吸収部を設ていることで、蹴られたときの衝撃が緩和される。
【０００３】
また、スポーツ用保護具としては、例えば、バレーボール等の競技者が肘に装着するエルボーガードと呼ばれる肘用サポーターや、膝に装着するニーガードと呼ばれる膝用サポーターが知られている（例えば、特許文献２参照）。これらサポーターは、肘や膝を覆う筒状をなす伸縮自在の布製本体部と、本体部に取り付けられた発泡樹脂製の衝撃吸収部とを備えており、この衝撃吸収部により肘や膝への衝撃が緩和されるようになっている。
【特許文献１】登録実用新案第３０５１１０４号公報
【特許文献２】特許第３７５９０４２号公報
【発明の開示】
【発明が解決しようとする課題】
【０００４】
ところで、特許文献１及び２のスポーツ用保護具のように衝撃吸収部を発泡樹脂製とした場合には、装着者が競技中にかいた汗や雨水が衝撃吸収部の表面に付着するのみならず、該衝撃吸収部が有する発泡セル中に溜まって内部も汚れることになる。こうなると、汗や雨水を栄養源として衝撃吸収部の表面及び内部に細菌が繁殖し、匂いの発生原因になるとともに、不衛生である。このことに対し、スポーツ用保護具を清潔に維持するために、使用後に洗浄することが考えられるが、この場合には、洗浄水が発泡セル中に溜まることになって、衝撃吸収部が短時間で乾き難い。従って、スポーツ用保護具を頻繁に洗浄することはできず、常に清潔な状態で使用することが難しい。また、スポーツ用保護具を使用後に拭くことも考えられるが、発泡セルの中に溜まった汗や雨水を拭き取ることはできず、清潔に保つのは難しい。
【０００５】
本発明は斯かる点に鑑みてなされたものであり、その目的とするところは、汚れた衝撃吸収部を素早くかつ簡単にきれいにできるようにして、常に清潔なスポーツ用保護具を使用できるようにすることにある。
【課題を解決するための手段】
【０００６】
上記目的を達成するために、第１の発明では、スポーツ用保護具が、非発泡弾性体で構成された衝撃吸収部を備えている構成とする。
【０００７】
この構成によれば、衝撃吸収部に発泡セルが無いため、装着者がかいた汗や雨水は衝撃吸収部の表面に付着するだけで内部に吸収されることはない。このため、衝撃吸収部を拭くだけできれいすることが可能である。また、衝撃吸収部を洗浄した場合には、洗浄水が衝撃吸収部の内部に吸収されないため早く乾く。
【０００８】
第２の発明では、第１の発明において、非発泡弾性体よりも硬い材質からなる硬質板部を備え、上記硬質板部の裏面に衝撃吸収部が層状に設けられている構成とする。
【０００９】
この構成によれば、サッカーボールの競技者が衝撃吸収部をスネに当てて装着することで、スポーツ用保護具をシンガードとして使用可能になる。
【００１０】
第３の発明では、第２の発明において、硬質板部には、衝撃吸収部を該硬質板部の表面側へ導出するための導出部が設けられている構成とする。
【００１１】
この構成によれば、衝撃吸収部と硬質板部とが強く結合することになる。
【００１２】
第４の発明では、第３の発明において、硬質板部の表面側へ導出された衝撃吸収部は、該硬質板部の表面から突出する突出部を形成している構成とする。
【００１３】
この構成によれば、硬質板部の表面から突出した突出部が容易に変形可能な弾性体であることから、スポーツ用保護具をシンガードとして装着した場合に、突出部が、シンガードの上に履いた靴下に密着するように変形し、滑り止めとなる。また、突出部は、硬質板部の裏面側の衝撃吸収部と一体であることから、硬質板部から脱落し難い。
【００１４】
第５の発明では、第２から４のいずれか１つの発明において、硬質板部の周縁部は、衝撃吸収部により被覆されている構成とする。
【００１５】
この構成によれば、硬質板部の周縁部が露出しないので、人体への装着時に硬質板部の周縁部が皮膚に直接触れることはない。
【００１６】
第６の発明では、第２から５のいずれか１つの発明において、衝撃吸収部の裏面には、凹凸形状が設けられている構成とする。
【００１７】
この構成によれば、人体への装着時に衝撃吸収部の凸部分が皮膚に触れ、凹部分は皮膚から離れるようになり、この皮膚から離れた部分により熱や汗を逃がすことが可能になる。
【００１８】
第７の発明では、第６の発明において、凹凸形状は、衝撃吸収部の裏面に形成された複数の溝で構成されているものとする。
【００１９】
この構成によれば、熱や汗を溝から効率良く逃がすことが可能になる。
【００２０】
第８の発明では、第２から７のいずれか１つの発明において、衝撃吸収部は、硬質板部に一体成形されている構成とする。
【００２１】
この構成によれば、成形時に衝撃吸収部が硬質板部と一体化する。
【００２２】
第９の発明では、第１の発明において、人体の肘又は膝に装着される本体部を備え、上記本体部に衝撃吸収部が取り付けられている構成とする。
【００２３】
この構成によれば、バレーボールの競技者がスポーツ用保護具を肘用又は膝用サポーターとして使用可能になる。
【００２４】
第１０の発明では、第９の発明において、衝撃吸収部には、該衝撃吸収部における装着者の皮膚側の面に開口する貫通孔が形成されている構成とする。
【００２５】
この構成によれば、衝撃吸収部の貫通孔が通気孔として機能することになり、スポーツ保護具の装着者の汗や熱を貫通孔から逃がすことが可能になる。
【００２６】
第１１の発明では、第９又は１０の発明において、衝撃吸収部は、肘の関節部又は膝の関節部の形状に沿うように湾曲形成されている構成とする。
【００２７】
この構成によれば、スポーツ保護具を肘又は膝に装着した際に、衝撃吸収部が肘又は膝に沿うようになり、フィット感が向上する。
【００２８】
第１２の発明では、第１１の発明において、衝撃吸収部の肉厚は、肘の関節部又は膝の関節部の中央に対応する部位が周縁部よりも厚く設定されている構成とする。
【００２９】
この構成によれば、スポーツ時に衝撃を受けやすい肘の関節部の中央や膝の関節部の中央を確実に保護することが可能になり、保護性能を十分に高めることが可能になる。この場合に、衝撃を受けにくい部位の肉厚を薄くして衝撃吸収部の軽量を図ることが可能になる。
【発明の効果】
【００３０】
第１の発明によれば、衝撃吸収部が非発泡弾性体で構成されているので、衝撃吸収部を拭くだけで素早くかつ簡単にきれいにでき、また、洗浄した場合にも早く乾いてすぐに使用可能な状態にできる。これにより、装着者は、常に清潔なスポーツ用保護具を使用することができる。
【００３１】
第２の発明によれば、硬質板部に衝撃吸収部を層状に設けたので、サッカーボールの競技者が常に清潔な状態のシンガードを使用することができる。
【００３２】
第３の発明によれば、衝撃吸収部を硬質板部の表面側へ導出させるようにしたので、衝撃吸収部と硬質板部とを強く結合できる。これにより、スポーツ時に衝撃吸収部に大きな力がかかった際に、衝撃吸収部が硬質板部から分離しないようにすることができる。
【００３３】
第４の発明によれば、硬質板部の表面側へ導出された衝撃吸収部が、該硬質板部の表面から突出する突出部を形成しているので、シンガードとして用いる場合に、突出部が靴下に対して滑り止めとなり、装着時の位置ずれを抑制できる。
【００３４】
第５の発明によれば、硬質板部の周縁部を衝撃吸収部で被覆したので、硬質板部の周縁部が人体の皮膚に直接触れて傷付けることはなく、装着時の安全性を向上できる。
【００３５】
第６の発明によれば、衝撃吸収部の裏面に凹凸形状を設けたので、人体へ装着した状態で熱や汗を逃がすことができ、装着感を良好にすることができる。
【００３６】
第７の発明によれば、衝撃吸収部の凹凸形状を複数の溝で構成したので、熱や汗を効率良く逃がすことができ、装着感をより一層良好にすることができる。
【００３７】
第８の発明によれば、衝撃吸収部を硬質板部に一体成形したので、両者を一体化する手間が省け、製造工数の削減を図ることができる。
【００３８】
第９の発明によれば、人体の肘又は膝に装着される本体部に衝撃吸収部を取り付けたので、バレーボールの競技者が常に清潔な状態のサポーターを使用することができる。
【００３９】
第１０の発明によれば、衝撃吸収部に貫通孔を形成したので、装着者の汗や熱を貫通孔から逃がすことができ、使用感を良好にすることができる。
【００４０】
第１１の発明によれば、衝撃吸収部が肘の関節部又は膝の関節部の形状に沿うように湾曲しているので、装着時のフィット感を向上させて、より一層良好な使用感を得ることができる。
【００４１】
第１２の発明によれば、衝撃吸収部の肉厚を、肘の関節部又は膝の関節部の中央に対応する部位が他の部位よりも厚くなるようにしたので、スポーツ用保護具の保護性能と軽量化とを高い次元で両立できる。
【発明を実施するための最良の形態】
【００４２】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００４３】
《発明の実施形態１》
図１及び図２は、本発明の実施形態１に係るスポーツ用保護具としてのシンガード１を示すものである。このシンガード１は、サッカーボールの競技者がスネ当てとして使用するものであり、図３に示すように、全体としてスネの形状に沿うように湾曲した板状をなしている。尚、シンガード１の裏面をスネに当たる側の面とし、表面をその反対側の面とする。
【００４４】
シンガード１は、表面側を構成する硬質板部１０と、裏面側を構成する衝撃吸収部２０とを備えた２層構造とされている。硬質板部１０は、例えば、ポリプロピレン、ナイロン、ポリウレタン、ポリエステル、ポリエチレン、ポリ塩化ビニル、または反応性硬化樹脂等の樹脂材を射出成形してなるものである。この硬質板部１０の硬さは、競技中にスパイクシューズで蹴られた場合や、競技者の足同士がぶつかった場合等にスネをガードできる程度の硬さである。硬質板部１０は、全体としてスネの上下方向に長い形状とされ、上述のように湾曲している。図４に示すように、硬質板部１０の両側縁部は、上側部分が幅方向外方へ向けて湾曲する上側湾曲部１０ａで構成され、上下方向中間部分が幅方向内方へ向けて湾曲する中間湾曲部１０ｂで構成され、下側部分が幅方向外方へ向けて湾曲する下側湾曲部１０ｃで構成されている。また、硬質板部１０の上半部は、下半部に比べて幅が広くなっている。さらに、硬質板部１０の上縁部及び下縁部は、略直線状に延びている。
【００４５】
硬質板部１０の表面の周縁部には、図５にも示すように、裏面側へ向けて窪む段差部１１が周方向に連続して設けられている。段差部１１の深さは、硬質板部１０の中央部分の厚みの約１／２程度に設定されている。この段差部１１により、硬質板部１０の周縁部には、中央部分の約１／２程度の厚みの薄肉部１２が形成されている。一方、硬質板部１０の裏面は、段差部の無い平滑面で構成されている。
【００４６】
硬質板部１０の上側には、幅方向一側に、表裏方向に貫通する３つの内側貫通孔１４、１４、１４が互いに間隔をあけて形成されている。これら内側貫通孔１４、１４、１４は、上下方向に長く延びる形状とされている。硬質板部１０の下側には、幅方向他側に、上記内側貫通孔１４と同じ形状の内側貫通孔１５が３つ形成されている。
【００４７】
尚、図示しないが、硬質板部１０の表面には、文字や模様等が設けられている。
【００４８】
上記衝撃吸収部２０は、熱可塑性の非発泡エラストマー（非発泡弾性体）で構成され、硬質板部１０に層状に設けられている。非発泡とは、エラストマーに発泡セルの無い状態のことである。このエラストマーとしては、本実施形態では、水添ＳＥＢＳ（スチレン＝エチレン＝ブチレン＝スチレン）系エラストマーを用いている。熱可塑性エラストマーとしては、例えば、オレフィン系エラストマー、スチレン系エラストマー等が例示される。（架橋型ゴムでないもの）オレフィン系エラストマーとしては、エチレンプロピレン共重合体ゴム（ＥＰＲ）、エチレンプロピレンターポリマー（ＥＰＴ，ＥＰＤＭ）等が例示される。また、スチレン系エラストマーとしては、スチロールアクリルニトリル共重合物（ＳＡＮ）、スチロールブタジエンゴム（ＳＢＲ）等の共重合物、スチロールアクリロニトリルとブタジエンアクリロニトリルの３成分共重合物（ＡＢＳ）等が例示される。
【００４９】
衝撃吸収部２０の引っ張り強さ及び伸びは、ＪＩＳ  Ｋ  ６７２３の試験方法により得られた値が、それぞれ、０．７ＭＰａ及び７００％≦である。また、衝撃吸収部２０の比重は、ＪＩＳ  Ｋ  ７１１２の試験方法により得られた値が、０．８４である。また、衝撃吸収部２０の硬さは、ＪＩＳ  Ｋ  ６３０１に示されるデュロメータ硬さ試験法により得られた値（デュロメータＡ硬さ）が、１以上４０以下となるように設定されている。衝撃吸収部２０の硬さが上記範囲に設定されている理由は、衝撃吸収部２０のデュロメータ硬さが１未満であると、柔らかすぎて、スネに装着した際に大きく変形して装着感が悪化してしまい、一方、衝撃吸収部２０のデュロメータ硬さが４０を越えると、例えばスパイクシューズが当たった場合等の変形量が十分でなく、衝撃吸収性能が低下してしまうからである。また、衝撃吸収部２０の硬さを上記範囲に設定していることで、衝撃吸収部２０が肌に直接触れた際になじみやすく、装着時の違和感を感じ難くなる。
【００５０】
衝撃吸収部２０は、硬質板部１０の裏面略全体を覆う形状とされており、硬質板部１０に一体成形されている。衝撃吸収部２０の肉厚は、硬質板部１０の肉厚と略同じ程度に設定されている。また、図２や図６に示すように、衝撃吸収部２０の裏面には、硬質板部１０の幅方向に延びる複数の溝２１、２１、…が上下方向に間隔をあけて形成されている。各溝２１は、上下方向に複数回蛇行している。上記複数の溝２１、２１、…によって衝撃吸収部２０の裏面には凹凸形状が設けられている。
【００５１】
衝撃吸収部２０は、図３に示すように、硬質板部１０の裏面側から周縁部を通って表側へ回り込み、薄肉部１２の表側全体を覆う形状とされている。従って、硬質板部１０の周縁部は、全周が衝撃吸収部２０により被覆された状態となっており、また、硬質板部１０の段差部１１内には、衝撃吸収部２０が充填されている。
【００５２】
また、衝撃吸収部２０は、内側貫通孔１４、１５から表側へ導出されており、この内側貫通孔１４、１５から表側へ導出された部分は、硬質板部１０の表面から突出する突出部２２を形成している。突出部２２は、硬質板部１０の表面上を広がっており、内側貫通孔１４、１５と同様に上下方向に長く延びる形状とされている。また、突出部２２は、シンガード１の正面視（図１に示す）で、内側貫通孔１４、１５よりも大きくされたアンカー形状となっており、内側貫通孔１４、１５から裏面側へ向けて抜け難くなっている。
【００５３】
次に、上記のように構成されたシンガード１の製造要領について説明する。まず、図示しないが、射出成形機を用いて硬質板部１０を成形する。この硬質板部１０を脱型した後、衝撃吸収部２０を成形する射出成形機の成形型（図示せず）内に配置し、位置決めする。
【００５４】
そして、硬質板部１０が位置決めされた成形型のキャビティに流動状態のエラストマーを供給する。このエラストマーは、硬質板部１０の裏面側全体に行き渡る。この裏面側のエラストマーは、各内側貫通孔１４、１５を通って硬質板部１０の表側に導出されるとともに、硬質板部１０の周縁部を回って表側に流れ、薄肉部１２の表面を流れて段差部１１に充填される。
【００５５】
エラストマーが固化すると、衝撃吸収部２０となる。この衝撃吸収部２０のうち硬質板部１０に接触している部分は、該硬質板部１０に接着している。また、内側貫通孔１４、１５から導出されたエラストマーは、固化して突出部２２となる。その後、成形型から脱型してシンガード１が得られる。
【００５６】
上記のようにして得られたシンガード１を使用する際には、衝撃吸収部２０をスネに直接当て、その上から靴下（図示せず）を履き、その靴下によりシンガード１を表側から覆ってスネに保持する。このとき、シンガード１の突出部２２が弾性変形するエラストマーで構成されていることから、突出部２２が、靴下に密着するように変形し、滑り止めとなる。これにより、競技中にシンガード１が動いて位置ずれするのを抑制することができる。また、シンガード１の装着時には、衝撃吸収部２０のデュロメータ硬さが上記範囲に設定されているので、形状が適度に維持されて装着感は良好である。
【００５７】
シンガード１の使用時に競技者が汗をかいた場合には、衝撃吸収部２０の溝２１の底面が皮膚から離れているので、汗は溝２１を通って排出される。また、同様に、熱も溝２１から放出される。また、他の競技者のスパイクシューズがシンガード１に当たった場合には、衝撃吸収部２０のデュロメータ硬さが上記範囲に設定されているので、該衝撃吸収部２０が十分に変形して衝撃が緩和される。
【００５８】
また、使用時に競技者がかいた汗や雨水は衝撃吸収部２０に付着することになるが、衝撃吸収部２０に発泡セルが無いため、汗や雨水が衝撃吸収部２０に吸収されることはない。このため、衝撃吸収部２０を拭くだけできれいにすることが可能である。また、衝撃吸収部２０を洗浄した場合には、洗浄水が衝撃吸収部２０の内部に吸収されないため早く乾く。
【００５９】
以上説明したように、この実施形態１に係るシンガード１によれば、衝撃吸収部２０が非発泡エラストマーで構成されているので、衝撃吸収部２０を拭くだけで素早くかつ簡単にきれいにでき、また、洗浄した場合にも早く乾いてすぐに使用可能な状態にできる。これにより、競技者は、常に清潔なシンガード１を使用することができる。
【００６０】
また、衝撃吸収部２０を硬質板部１０の表面側へ導出させるようにしたので、衝撃吸収部２０と硬質板部１０とを強く結合できる。これにより、スポーツ時に衝撃吸収部２０に大きな力がかかった際や長期間使用した際に、衝撃吸収部２０が硬質板部１０から分離しないようにすることができる。
【００６１】
また、硬質板部１０の周縁部を衝撃吸収部２０で被覆したので、硬質板部１０の周縁部が競技者の皮膚に直接触れて傷付けることはなく、装着時の安全性を向上できる。
【００６２】
また、衝撃吸収部２０の裏面に複数の溝２１を形成して該裏面を凹凸形状としたので、競技者に装着した状態で熱や汗を逃がすことができ、装着感を良好にすることができる。
【００６３】
また、熱や汗を衝撃吸収部２０の溝によって効率良く逃がすことができ、装着感をより一層良好にすることができる。
【００６４】
また、突出部２２が、衝撃吸収部２０の裏面側の部分と一体であるため、離脱し難いものとなる。また、突出部２２と、硬質板部１０の周縁部を覆っている衝撃吸収部２０とは、上記エラストマーからなるものであるため、装着時に靴下に密着するように変形し、靴下に対して滑り止めとして機能する。このことにより、シンガード１の位置ずれを抑制できる。
【００６５】
また、衝撃吸収部２０のデュロメータ硬さを上記範囲としたので、装着感が良好で、かつ高い衝撃吸収性能を得ることができ、シンガード１の商品性を十分に高めることができる。
【００６６】
尚、本発明は、シンガード１以外にも、例えば、野球用プロテクター、ヘルメット、アームガード、腰部プロテクター、脊椎プロテクター、ラグビー用のヘッドギア等に適用することが可能である。
【００６７】
《発明の実施形態２》
図７及び図８は、本発明の実施形態２に係るスポーツ用保護具としての膝用サポーター５０を示すものである。この膝用サポーター５０は、バレーボール等の競技者がニーガードとして使用するものであり、筒状の本体部５１と、本体部５１に取り付けられた衝撃吸収部５２とで構成されている。
【００６８】
本体部５１は、弾性糸を織り込んだ弾性伸縮布で構成されており、内径が拡大するように変形可能となっている。図９に示すように、本体部５１の内面には、薄い布材５３が衝撃吸収部５２の収容部５４を構成する袋状に縫い付けられている。
【００６９】
衝撃吸収部５２は、上記実施形態１と同じ非発泡エラストマーからなるものである。図１１及び図１２に示すように、衝撃吸収部５２の形状は、全体的に、膝の関節部の形状に沿うように湾曲した厚肉板状をなしている。すなわち、衝撃吸収部５２の中央部近傍が、膝の関節部の中央部（半月板に対応する部位）に位置するようになっており、この中央部近傍が頂点となるようななだらかな山型となっている。また、衝撃吸収部５２は、装着状態で左右対称となっている。
【００７０】
衝撃吸収部５２の下縁部は、左右方向の中央部が最も下になるように略円弧状に延びている。衝撃吸収部５２の左縁部は、左方へ向けて湾曲しており、また、右縁部は、右方へ向けて湾曲している。衝撃吸収部５２の上縁部は、左右中央部が上方へ突出するように形成され、左右両側が削り取られたように下へ向けて湾曲している。この上縁部の左右両側の形状により、衝撃吸収部５２が膝の動きを邪魔しないようになっている。
【００７１】
衝撃吸収部５２の肉厚は、その中央部、即ち、膝の関節部の中央部に対応する部位が最も厚く、そこから周縁部に近づくに従って徐々に薄くなるように設定されている。これにより、衝撃を受けやすい膝の関節部の中央部を確実に保護することが可能になり、保護性能を十分に高めることが可能になる。さらに、衝撃を受けにくい部位の肉厚を薄くしたことで、衝撃吸収部５２の軽量化を図ることが可能になる。
【００７２】
衝撃吸収部５２の中央部の肉厚は、３ｍｍ以上３０ｍｍ以下の範囲で設定されている。衝撃吸収部５２の中央部の肉厚が３ｍｍよりも薄くなると、使用する状況によっては衝撃吸収性能が低下することがあり、一方、３０ｍｍよりも厚くなると、装着感が悪くなる虞れがあるとともに、重く感じる装着者が出てくることが考えられる。衝撃吸収部５２の中央部の肉厚は、１０ｍｍ以上１５ｍｍ以下が好ましい。
【００７３】
衝撃吸収部５２には、装着時に装着者の皮膚側となる面に開口する複数の貫通孔５２ａ、５２ａ、…が形成されている。これら貫通孔５２ａは、衝撃吸収部５２の中央部から周縁部近傍に亘って配置されており、周縁部近傍が中央部に比べて密に配置されている。これら貫通孔５２ａ、５２ａ、…を形成することにより、通気性が確保されて汗や熱を逃がすことが可能になる。
【００７４】
各貫通孔５２ａの断面形状は円形状とされている。貫通孔５２ａの径は、０．５ｍｍ以上２０ｍｍ以下の範囲で設定されている。貫通孔５２ａの径が０．５ｍｍよりも小さくなると、通気性が不十分になり汗や熱が逃げにくくなり、一方、２０ｍｍよりも大きくなると、衝撃吸収性能が低下してしまう。貫通孔５２ａの径は、４ｍｍ以上８ｍｍ以下が好ましい。また、図１１に示すように、貫通孔５２ａの軸方向両側は、軸方向の端に近づくほど拡径するように形成されている。尚、貫通孔５２ａの形状や数は、上記に限られるものではなく、任意に設定することができる。
【００７５】
実施形態２のものにおいても、実施形態１のものと同様に、上記膝用サポーター５０の使用時に競技者がかいた汗や雨水は衝撃吸収部５２に付着することになるが、衝撃吸収部５２に発泡セルが無いため、吸収されることはない。また、衝撃吸収部５２を洗浄した場合には、洗浄水が衝撃吸収部５２の内部に吸収されないため早く乾く。
【００７６】
以上説明したように、この実施形態２に係る膝用サポーター５０によれば、実施形態１と同様に、衝撃吸収部５２が非発泡エラストマーで構成されているので、衝撃吸収部５２を拭くだけで素早くかつ簡単にきれいにでき、また、洗浄した場合にも早く乾いてすぐに使用可能な状態にできる。これにより、競技者は、常に清潔な膝用サポーター５０を使用することができる。
【００７７】
また、衝撃吸収部５２の貫通孔５２ａが通気孔として機能することになり、貫通孔５２ａから汗や熱を逃がすことができる。これにより、使用感を良好にすることができる。
【００７８】
また、衝撃吸収部５２が膝の関節部の形状に沿うように湾曲しているので、装着時のフィット感を向上させて、より一層良好な使用感を得ることができる。
【００７９】
また、衝撃吸収部５２の肉厚を、膝の関節部の中央に対応する部位が他の部位に比べて厚くなるようにしたので、保護性能と軽量化とを高い次元で両立できる。
【００８０】
また、衝撃吸収部５２は弾性材で構成されているので、膝を曲げ伸ばしした際に、追従するように容易に変形することになる。
【００８１】
衝撃吸収部５２の形状、厚み等は任意に設定することが可能である。
【００８２】
実施形態２の膝用サポーター５０の衝撃吸収部５２の形状は、図１０に示す変形例のような矩形の厚肉板状にしてもよい。
【００８３】
尚、上記実施形態２では、スポーツ用保護具が膝用サポーター５０である場合について説明したが、本発明は、膝用サポーター５０と同様な構造の肘用サポーターにも適用することができる。
【００８４】
また、上記衝撃吸収部２０、５２を構成するエラストマーは、水添ＳＥＢＳ系エラストマーに限られるものではなく、物性値が上記した範囲に収まるエラストマーであればよい。また、非発泡弾性体は、例えば、シリコーン等で構成してもよい。
【産業上の利用可能性】
【００８５】
以上説明したように、本発明に係るスポーツ用保護具は、例えば、サッカーボールの競技者が装着するシンガードや、バレーボールの競技者が装着する肘用サポーター及び膝用サポーターに適している。
【図面の簡単な説明】
【００８６】
【図１】本発明の実施形態１に係るシンガードの正面図である。
【図２】シンガードを裏側から見た図である。
【図３】図１におけるIII−III線断面図である。
【図４】硬質板部の正面図である。
【図５】図４におけるV−V線断面図である。
【図６】図２におけるVI−VI線断面図である。
【図７】本発明の実施形態２に係る膝用サポーターの正面図である。
【図８】膝用サポーターの側面図である。
【図９】図７におけるIX−IX線断面図である。
【図１０】衝撃吸収部の正面図である。
【図１１】図１０におけるXI−XI線断面図である。
【図１２】図１０におけるXII−XII線断面図である。
【図１３】変形例に係る図７相当図である。
【図１４】変形例に係る図８相当図である。
【図１５】図１３におけるXV−XV線断面図である。
【図１６】変形例に係る図１０相当図である。
【符号の説明】
【００８７】
１            シンガード（スポーツ用保護具）
１０          硬質板部
１４、１５    内側貫通孔（導出部）
２０          衝撃吸収部
２１          溝
２２          突出部
５０          膝用サポータ（スポーツ用保護具）
５２          衝撃吸収部
５２ａ        貫通孔
【図１】
2008214841.tif 000003
【図２】
2008214841.tif 000004
【図３】
2008214841.tif 000005
【図４】
2008214841.tif 000006
【図５】
2008214841.tif 000007
【図６】
2008214841.tif 000008
【図７】
2008214841.tif 000009
【図８】
2008214841.tif 000010
【図９】
2008214841.tif 000011
【図１０】
2008214841.tif 000012
【図１１】
2008214841.tif 000013
【図１２】
2008214841.tif 000014
【図１３】
2008214841.tif 000015
【図１４】
2008214841.tif 000016
【図１５】
2008214841.tif 000017
【図１６】
2008214841.tif 000018